(57)【要約】【課題】容易に低拘束でカフを用いずに精度良く血圧を測定する血圧測定装置、及び血圧測定方法を提供すること。【解決手段】生体の血流速度を測定する血流速度測定部と、前記血流速度測定部を制御する制御部、前記血流速度測定部から得られた情報から血流速度を算出する処理部を有し、前記血流速度を生体の少なくとも異なる２箇所の部位で測定し、２箇所の血流速度から血圧を測定する構成とした。【選択図】    図１
2004201868.tif 000002
【特許請求の範囲】
【請求項１】
生体の二箇所以上の部位における血流速度を測定する、少なくとも二つ以上の血流速度測定部と、
前記血流速度測定部を制御する血流速度測定制御部と、
前記血流速度測定部で測定された血流速度から、生体の血圧を算出する演算部と、から構成される血圧測定装置。
【請求項２】
生体の血管径を測定する血管径測定部と、
前記血管径測定部を制御する血管径測定制御部と、を有し、
前記血管径測定部で測定された血管径と前記血流速度測定部で測定された血流速度から、前記演算部によって生体の血圧を算出することを特徴とする請求項１記載の血圧測定装置。
【請求項３】
生体の血管径を測定する血管径測定部と、
前記血管径測定部を制御する血管径測定制御部と、
生体の血流量を測定する血流量測定部と、
前記血流量測定部を制御する血流量測定制御部と、を有し、
生体の二箇所の部位において、一方の部位では血流速度と血管径を測定し、他方の部位では血流速度と血流量を測定し、前記演算部においてこれらの測定結果から生体の血圧を算出することを特徴とする請求項１記載の血圧測定装置。
【請求項４】
生体の血流量を測定する血流量測定部と、
前記血流量測定部を制御する血流量測定制御部と、を有し、
生体の二箇所の部位において、一方の部位では血流速度と血流量を測定し、他方の部位では血流速度を測定し、前記演算部によってこれらの測定結果から生体の血圧を算出することを特徴とする請求項１記載の血圧測定装置。
【請求項５】
前記測定は、生体の橈骨動脈と指先でされることを特徴とする請求項１から４のうちのいずれか一項に記載の血圧測定装置。
【請求項６】
生体の血流速度を測定する血流速度センサと、
前記血流センサを制御する血流センサ制御部と、
生体の脈波を測定する容積脈波センサと、
前記容積脈波センサを制御する容積脈波センサ制御部と、
前記血流速度センサ及び前記容積脈波センサからの信号を処理する信号処理部と、を有し、
生体の動脈付近で血流速度を測定し、指先の末梢血管周辺で血流速度と脈波を測定し、これらの測定結果から生体の血圧を算出することを特徴とする血圧測定装置。
【請求項７】
生体の血流速度を測定する血流速度センサと、
前記血流センサを制御する血流速度センサ制御部と、
生体の脈波を測定する容積脈波センサと、
前記容積脈波センサを制御する容積脈波センサ制御部と、
前記血流速度センサ及び前記容積脈波センサからの信号を処理する信号処理部と、を有し、
生体の動脈付近と指先の末梢血管周辺で血流速度と脈波を測定し、これらの測定結果から生体の血圧を算出することを特徴とする血圧測定装置。
【請求項８】
動脈の血流速度と指先の末梢血管の血流速度から血圧を算出することを特徴とする血圧測定方法。
【請求項９】
動脈を流れる血液の血流速度と前記動脈の血管径、指先などの末梢血管を流れる血液の血流速度と前記血管の血管径の変化から血圧を算出することを特徴とする血圧測定方法。
【請求項１０】
動脈を流れる血液の血流速度と前記動脈の血管径、指先などの末梢血管を流れる血液の血流量と血流速度の変化から血圧を算出することを特徴とする血圧測定方法。
【請求項１１】
動脈を流れる血液の血流速度と指先などの末梢血管を流れる血液の血流量と血流速度の変化から血圧を算出することを特徴とする血圧測定方法。
【請求項１２】
前記血流速度、前記血管径、及び前記血流量において、脈拍毎の最大血流速度、最大血管径、及び最大血流量によって脈拍毎の収縮期の血圧を概算することを特徴とする請求項８から１１に記載の血圧測定方法。
【請求項１３】
前記血流速度、前記血管径、及び前記血流量において、脈拍毎における最小血流速度、最小血管径、及び最小血流量によって脈拍毎の拡張期の血圧を概算することを特徴とする請求項８から１１に記載の血圧測定方法。
【請求項１４】
請求項８から請求項１３のいずれかに記載の血圧測定方法において、カフを用いる従来の血圧計によって収縮期実血圧と拡張期実血圧を測定し、該測定と同時期に前記血流速度、前記血管径、あるいは前記血流量を測定し、前記血流速度、前記血管径、前記血流量から収縮期実血圧を計算する補正係数と、拡張期実血圧を計算する補正係数をそれぞれ求め、
以降は前記血流速度、前記血管径、あるいは前記血流量を測定し、前記血流速度と前記血管径、前記血流量及び前記補正係数を用いて収縮期実血圧と拡張期実血圧を算出することを特徴とする血圧測定方法。
【請求項１５】
時計のバンド部に血流速度センサを設け、前記時計の本体部にも血流速度センサを設けたことを特徴とする血圧測定装置。
【請求項１６】
時計のバンド部に血流速度センサを設け、前記時計の本体部には血流速度センサと容積脈波センサを設けたことを特徴とする血圧測定装置。
【発明の詳細な説明】
【０００１】
【発明の属する技術分野】
本発明は、人体の血圧を測定する方法の技術分野に属するものである。
【０００２】
【従来の技術】
今日、血圧を測定する方法として、カフ（圧迫帯）を用いないで測定する方法が提唱されている。このものは、一対の心電位電極と、該心電位電極からの心電位信号を処理する心電位処理手段と、指尖光電脈波検出センサと、該脈波信号を処理する脈波処理手段と、該処理された脈波をさらに二次微分する二次微分処理手段と、これら処理された心電位信号、脈波信号、脈波の二次微分信号に基づいて血圧を演算する演算手段と、この演算結果を表示する表示手段とを備えて構成し、そして演算手段が、心電位波形と脈波波形とから脈波伝播時間、脈波インターバル、そして心拍数を求め、これに基づいて血圧を演算するようにしている（例えば、特許文献１参照。）。
【０００３】
また、人体の血液循環により生じる脈波を検出する脈波検出手段と、該検出された脈波信号から脈波伝播時間、脈波伝播速度の少なくとも一つを特徴量として演算する特徴量演算手段と、該演算された特徴量から血圧を演算する血圧演算手段とを備えて構成したものがある（例えば、特許文献２参照。）。
【０００４】
さらに、血液循環によって生じる脈波から実測した実血圧値と、脈波検出手段から検出された脈波のセンサ値とを、異なる複数の血圧状態でそれぞれ測定してこれを標準関数として算出し、以降は、脈波検出手段で検出されるセンサ値を標準関数に代入して血圧値を算出するようにしたことを特徴とする血圧測定方法も提唱されている。異なる複数の血圧状態での測定は、検出部位を心臓に対して上下高さ変化させて測定することで測定を行うものもある（例えば、特許文献３参照。）。
【０００５】
【特許文献１】
特開平８−１４０９４８号公報  （第２−３頁）
【０００６】
【特許文献２】
特開平１０−２９５６５７号公報  （第２−３頁）
【０００７】
【特許文献３】
特開２００１−２７５９９８号広報  （第２−３頁）
【０００８】
【発明が解決しようとする課題】
しかしながら、後述する通り血圧は血流量と血管抵抗の積で決定される。上記血圧測定方法のいずれもが、血流量（特許文献３などでは血管径に起因する情報）あるいは末梢抵抗（脈波伝搬速度、脈波伝搬時間を利用する方法）のいずれか一方についてしか着目しておらず、特定の測定条件（一定温度、一定時刻等）であればある程度、実測血圧値との相関が得られるが、運動などで血流量は大きく変化し、また末梢血管抵抗はストレス、環境温度などで大きく変化するため、従来の血圧測定法では正確な血圧値を得ることが出来なかった。
【０００９】
そこで、本発明の血圧測定方法、及び血圧測定装置における課題は、末梢抵抗および血流量の変化を利用して血圧値を概算し、カフを使用せずに容易に非侵襲的で正確な血圧の測定を可能にすることである。
【００１０】
【課題を解決するための手段】
そこで、上記課題を解決するため、本発明の血圧測定装置、及び血圧測定方法においては、血流速度を測定する血流速度測定部を少なくとも２つ有し、血流速度測定部を制御する血流速度測定制御部、血流速度測定部から得られた情報から血流速度を算出し、血流速度を生体の異なる２箇所の部位で測定し、処理部によって前記２箇所の血流速度から血圧を算出する構成とすることにより前記目的を達成する。
【００１１】
さらに血圧の測定精度を向上させるため、血管径を測定する血管径測定部、血管径測定部を制御する血管径測定制御部を有し、異なる２箇所の両方で血流速度と血管径を測定し、２箇所の血流速度と血管径から血圧を算出する構成とすることにより前記目的を達成する。
【００１２】
また測定精度を向上させるため、血管径を測定する血管径測定部、血流量を測定する血流量測定部、血管径測定部を制御する血管径測定制御部、血流量測定部を制御する血流量測定制御部を有し、異なる２箇所の部位のうち、一方の血管では血流速度と血管径を他方の血管では血流速度と血流量を測定し、血流速度、血管径および血流量から血圧を算出する構成とすることにより前記目的を達成する。
【００１３】
また生体表面から生体内部に波動を送受信し、血流量を測定する血流量測定部、血流量測定部を制御する血流量測定制御部を有し、異なる２箇所の部位のうち、一方の血管では血流速度と血流量を他方の血管では血流速度を測定し、処理部によって血流速度、および血流量から血圧を算出する構成とするとさらに測定精度を向上させることができる。
【００１４】
異なる２箇所の部位は前記一方が橈骨動脈、前記他方は指先の血管としたり、血流速度センサと容積脈波センサと、前記血流速度センサを制御する血流速度センサ制御部、前記容積脈波センサを制御する容積脈波センサ制御部、前記血流速度センサ、容積脈波センサからの信号を処理する処理部を有し、橈骨動脈付近と指先の血管周辺に前記血流速度センサと前記容積脈波センサを設けた構成とすることもできる。
【００１５】
さらに、カフを用いる従来の血圧計を用いて収縮期実血圧と拡張期実血圧を測定し、その測定と同時期に前記血流速度、前記血管径などから前記収縮期血圧と拡張期血圧を求め、収縮期血圧から収縮期実血圧を計算する補正係数と、拡張期血圧から拡張期実血圧を計算する補正係数をそれぞれ求め、以降は前記カフを用いる血圧計を使用しないで、前記血流速度や前記血管径を用いて測定したときには、前記収縮期血圧と前記補正係数を用いて収縮期実血圧を求め、前記拡張期血圧と補正係数を用いて拡張期実血圧を算出することで実血圧値を求めることもできる。
【００１６】
詳細は以下の発明の実施の形態で説明する。
【００１７】
【発明の実施の形態】
上腕部の血液循環状態を図９のようにモデル化する。
【００１８】
ただし、図９においてｖ１、Ｑ１，ｄ１，Ｌ１は橈骨動脈での血流速度、血流量、血管半径、管の長さｖ２、Ｑ２，ｄ２，Ｌ２は指先の動脈での血流速度、血流量、血管半径、管の長さである。
【００１９】
また、Ｐ１は橈骨動脈での血圧、Ｐ２は橈骨動脈と指先動脈の中間の部位での血圧、Ｐ３は指先動脈末端での血圧である。ここでＰ３は末梢での血圧値で数ｍｍＨｇと小さいため、Ｐ１―Ｐ３が上腕での血圧値であると考えられる。すなわちこのＰ１−Ｐ３が測定したい血圧値となる。Ｐ１，Ｐ２，Ｐ３の関係は、ハーゲン−ポワズイユの法則から、ρを血液粘度として
Ｐ１−Ｐ２＝（８ρＬ１Ｑ１）／（πｄ１４）    ・・・（１）
Ｐ２−Ｐ３＝（８ρＬ２Ｑ２）／（πｄ２４）    ・・・（２）
という関係が成り立つ。なお、式１，２の右辺のうち、Ｑ１，Ｑ２が電気回路に置き換えた場合の電流に、また８ρＬ１／πｄ１４、８ρＬ2／πｄ2４が抵抗に該当する。８ρＬ１／πｄ１４、８ρＬ2／πｄ2４は血管の血管抵抗（末梢抵抗、粘性抵抗）に相当する。そのため、血圧は血流量と血管抵抗の積で表されることになる。
橈骨動脈での血圧値Ｐ１−Ｐ３は、式１，２から
Ｐ１−Ｐ３＝（８ρＬ１Ｑ１）／（πｄ１４）＋（８ρＬ２Ｑ２／πｄ２４）・（３）
一方血流量Ｑ１，Ｑ２は
Ｑ１＝（πｄ１２ｖ２）／８    ・・・・（４）
Ｑ２＝（πｄ２２ｖ２）／８    ・・・・（５）
という関係（生体計測とセンサ  コロナ社  ７５項参照）があるため、式３は、
2004201868.tif 000003
となり、Ｌ１，Ｌ２，ρを一定と見なすと、結果として橈骨動脈での血流速度、血管径、指先動脈での血流速度、血管径の測定で血圧の概算ができることがわかる。
【００２０】
また式６において、血管径ｄ２の測定は指先の血管の径が細く、また血管が多数存在するため、測定が困難な場合が多い。そのため、ｄ２をＱ２とｖ２で置き換えることを考える。そのため、式５を変形して、
ｄ２２＝８Ｑ２／（πｖ２）  ・・・・（７）
この式７を式６に代入すると、
2004201868.tif 000004
となり、結果として橈骨動脈の血管径ｄ１、血流速度ｖ１、指先の血流速度ｖ２、血流量Ｑ２でも血圧の概算ができる。
【００２１】
さらに、血流量Ｑ１．Ｑ２において、Ｑ１＝ａＱ２  ａ:定数と仮定すると、式４，５から
ｄ１２＝ａｖ２ｄ２２／ｖ１  ・・・・・（９）
この式９を式８に代入して、
2004201868.tif 000005
となり、指先の血流量Ｑ２,血流速度ｖ２,手首の橈骨動脈での血流速度ｖ１から血圧の概算が可能である。
【００２２】
また、式６において、血管径ｄ１、ｄ２の変化が（脈拍ごとにおける血管径の最大値、最小値の変動が）それほど大きくないと仮定することも可能であり、この場合、生体内の２箇所の血流速度ｖ１、ｖ２によって血圧が概算できる。
以上をまとめると、
１、橈骨動脈の血管径と血流速度、指先の血管での血流速度と血管径
２、橈骨動脈の血管径と血流速度、指先の血管での血流速度と血流量
３、橈骨動脈の血流速度、指先の血管での血流速度と血流量
４、橈骨動脈の血流速度と指先の血管での血流速度
のいずれかによって血圧の測定が可能である。
【００２３】
ただし、３に関してはＱ１＝ａＱ２という仮定が、４に関してはさらに血流量変化が大きくないという仮定が入っているため、装置自体は簡便なものとすることができるが、測定精度としてはやや落ちる。１，２に関しては測定する情報が多く、センサの保持構造、センサと血管との位置あわせ等を考慮しなければならないため、装置が大掛かりとなりやすい。
【００２４】
そのため、使用形態、必要とされる測定精度、使用環境などを考慮していずれの方法を採用するか決定する必要がある。例えば、もっぱら室内での測定であり、環境温度が一定とみなせたり、激しい運動の前後などでは測定しないなどの条件を満たす場合には３，４などの簡便な方法によって血圧を測定し、それ以外の条件においては１，２などの基本的な方法によって血圧を測定するなどである。
【００２５】
なお、本実施の形態では、橈骨動脈と指先の血管を対象としたが、一方が末梢部位（たとえば耳朶）で他方が比較的太い血管（頚動脈など）であれば上記関係とほぼ同じ関係が成立すると考えられるため、他の部位、血管での測定でも可能である。ただし、身体への装着性、測定の利便性を考慮すると、橈骨動脈と指先での測定が最適である。
【００２６】
詳細な装置構成などについては以下の実施例で述べる。
【００２７】
（実施例１）
本発明の血圧測定装置の一実施例について図１〜図５を用いて説明する。本実施例において本発明の血圧測定装置の基本構成を説明する。
【００２８】
図１は、本発明の実施例にかかわる血圧測定装置の実施例の外観上の構成を示す図であり、図２は図１の指先測定部１０の断面図、図３は手首測定部２０の断面図、図４は信号処理部、図５は測定された血流速、光センサ出力から換算した血管径、血流量の波形を示す説明図である。
【００２９】
図１に示すように、本実施例の血圧測定装置は、指先測定部１０、手首測定部２０、図示しない信号処理部５０、図示しない出力部５６５８、ケーブル６０から構成されている。
【００３０】
図２は、図1上の指の長手方向（Ａ−Ａ‘）の断面図を図示したものである。
【００３１】
図２に示すように、指先測定部１０は指サック１６の内側に血流速度センサ１１，血流速度センサ１２、光センサ１３が存在する。光センサ１３はＬＥＤ１４とフォトダイオード１５によって構成される。
【００３２】
血流速度センサ１１，血流速度センサ１２はそれぞれ所定の周波数の超音波を送受信する超音波センサである。超音波を血流に向けて照射すると、血流によって反射した超音波の周波数がドップラ効果を受けて変化する。この周波数の変化を検知することにより、血流速度を測定する。ここで、超音波センサと指先の血管との設置角度がずれると、測定される血流速度が変化するため、図２のように血流速度センサを二つ設けている。
【００３３】
ドップラシフト周波数Δｆは超音波送信角度と血管のなす角度θより次の式１１を用いて血流速度を求めている。
【００３４】
ｖ＝ｂΔｆ／２ｆｃｏｓθ              （１１）
ここで、ｂは生体内の音速、ｆは送信超音波の周波数である。
【００３５】
前記の方法で式１１を用いて血流速度を求めるためには、動脈と波動のなす角θが既知である必要がある。しかしながら、動脈の位置が正確に把握できている場合は少ないので、図２に示すような複数個の血流速度センサを用いてθが未知な場合についても血流速度が求められるようなセンサを作製した。生体表面から内部に波動を送受信する血流速度センサ１１，１２を１対にした。この時、血流速度センサがそれぞれ受信するドップラシフト信号Δf及びΔf'、そして２個の血流速度センサのなす角をαとすると式１２を用いてθを求めることができる。
【００３６】
θ=tan-1(Δf'/Δf−cosα)/sinα      （１２）
そして、ここで求めたθとΔｆを式１１に代入することにより、血流速度ｖを求めることができる。また、ここで、血流速度センサを２個以上にし、θを数多く算出して平均をとる方法を用いても、θの測定精度が上がるのでさらに良い。
【００３７】
なお、本実施例では血流速度センサ１１，血流速度センサ１２は、送信用、受信用に圧電素子（ＰＺＴ）を１枚ずつ用いた連続式ドップラ血流センサを使用しており、制御する周波数としては９．６ＭＨｚの周波数を使用した。この場合、橈骨動脈を流れる血液に反射した超音波のドップラシフト周波数は最高で４Ｋ〜５ＫＨｚあり、血流速度は最高速度のピーク値で１．０m/s程度であった。
【００３８】
次に、光センサ１３について説明する。光センサ１３はフォトダイオード１５、ＬＥＤ１４から構成される。
本実施例ではＬＥＤ１４によって照射された光が指先の毛細血管などを通過してきた光をフォトダイオード１５によって検出する透過型の構成とした。
【００３９】
ヘモグロビンの吸収係数が６６０ｎｍ付近で高くなるという吸光特性を利用するため、ＬＥＤ１４の発光する波長は６００〜８５０ｎｍが適当である。
以上の血流速度センサ、光センサを指サック１６内に配置して指先測定部１０を構成する。
【００４０】
次に手首測定部２０の構成を説明する。
図３に示すように手首測定部２０は血流速度センサ２２、血流速度センサ２３、光センサ２４、リストバンド２１で構成される。
【００４１】
血流速度センサ２２、血流速度センサ２３は、指先測定部１０の血流速度センサ１１、血流速度センサ１２と同じものを利用することもできるし、使用するＰＺＴの形状、周波数を変更して使用することも可能である。指先にくらべ、橈骨動脈の血流速度は速く、また指先の血管より深い位置に血管が存在する。超音波の送信周波数と減衰率は比例関係にあり、超音波の送信周波数が高くなると生体内部で減衰する割合が大きくなる。一方、ドップラシフト周波数も送信周波数に比例する。
【００４２】
そのため、超音波の減衰を抑えるため、血流によるドップラシフト周波数は低下するが、制御する周波数を指先の血流速度センサより低く設定することも有効であるが、本実施例では血流速度センサ１１、１２と同じ駆動周波数のセンサを使用した。
【００４３】
光センサ２４はＬＥＤ２６、フォトダイオード２５から構成される。光センサについても、指先測定部１０と同様の光センサを使用することもできるし、また使用する光の波長、強度を変更することも可能である。
【００４４】
指先の血管は極めて多数存在し、その血管径を測定することは難しいが、後述するとおり、おおよその血流量の測定は比較的容易である。これに対して橈骨動脈へは光を正確に血管にあわせて照射する必要があるため、一般に指先よりも手首の橈骨動脈の測定の方が難しい。そのため、ＬＥＤ、フォトダイオードを複数個用いて、強度が最も大きいＬＥＤ、フォトダイオードの組み合わせを利用することで、手首測定部のずれを補正することが有効となる。
【００４５】
なお、ＬＥＤ２６とフォトダイオード２５の離間距離は測定できる生体内部の深さに比例し、広いほど深い部位の測定が可能となるが、受光される光の強度も低下してしまうため、最適な間隔とする必要があり、本実施例では５ｍｍとした。
【００４６】
以上の光センサ２４、血流速度センサ２２、２３をリストバンド２１内側に設けることで手首測定部２０を構成している。
【００４７】
指サック１６，リストバンド２１ともに、外乱光を遮断する保持の仕方などの構造を工夫すると、さらに測定精度を向上させることができる。
【００４８】
次に本実施例の血圧計の信号処理部５０について説明する。
図４に示すように、信号処理部５０は血流速度センサ制御部５１，５２，光センサ制御部５３，５４，血流速度処理部５５，光信号処理部５６、処理演算部５７，出力部５８とから構成される。
【００４９】
血流速度センサ制御部５１，５２は血流速度センサ１１，１２，２２，２３の制御信号を送信し、その出力を受信する。そして血流速度処理部５５によって出力が処理される。
【００５０】
そして、血流速度処理部５５によって指先、橈骨動脈の各血流速度が求められ、処理演算部５７に処理された信号が送られる。
光センサ１３，２４は光センサ制御部５３，５４によって内部のＬＥＤを発光しフォトダイオードによって受信された信号を出力する。受信信号は光信号処理部５６によって処理される。
【００５１】
光センサは、ＬＥＤによって発光した光が、血液にその強度の一部を吸収されフォトダイオードによって検出されることになる。そのため、ＬＥＤによって発光し、フォトダイオードによって検出される領域の血液量が多いほど受信信号（ここでは電圧値となる）は小さくなり、逆に血液量が少ないほど受信信号は大きくなる。
【００５２】
この際、指先については毛細血管が極めて細いため、上記光の反射領域に毛細血管が無数に存在することになる。そのため、指先測定部１０内の光センサ１３の出力は複数の毛細血管を通過する血液量、すなわち血流量と同一視することができる。血流速度についても、複数の血管の血流速度を混合した形で検出されることになるが、（１）測定するのは複数の血管の血流速度分布であり、その最高流速あるいは平均流速を指先での血流速度とみなせばよいこと、（２）指先の血管それぞれにおいて、血流速度に大きな差がないとみなせること  から血流速度に関しては、指先に血流速度センサを大まかにとりつけることで血流速度の測定が可能である。
【００５３】
一方、手首測定部２０内に設けられた光センサ２４の場合、手首の橈骨動脈１０３の血管径は２〜３ｍｍ程度と大きく、上記光の反射領域には橈骨動脈１０３が大部分の割合を占めているものと見なせる。この場合、光センサ２４の信号は、橈骨動脈１０３の径が大きいほど光の吸収が大きくなって信号強度が小さくなり、橈骨動脈１０３の径が小さいほど光の吸収が小さくなって信号強度が大きくなる。そのため、手首測定部２０内に設けられた光センサ２４によって橈骨動脈１０３の血管径変化を測定できることになる。
【００５４】
このように血流速度処理部５５，光信号処理部５６によってそれぞれ橈骨動脈の血流速度ｖ１，血管径ｄ１、指先の血流速度ｖ２、血流量Ｑ２が求められ、処理演算部５7によって式８を使用し、これらの情報から血圧を概算する。
【００５５】
次に、実施例１の血圧測定方法について説明する。図５に手首の血流速度ｖ１(図５(ａ)),手首の光信号出力の逆数（血管径ｄ１と相似、図５（ｂ））、指先の血流速度ｖ２（図５（ｃ））、指先の光信号出力の逆数（血流量Ｑと相似、図５（ｄ））の脈拍拍動に伴う時間変化のグラフを示した。
【００５６】
図５中のｖ１ｍａｘ、ｖ２ｍａｘ、ｄ１ｍａｘ、Ｑ２ｍａｘのとき、式８によって求められる血圧が収縮期血圧であり、ｖ１ｍｉｎ、ｖ２ｍｉｎ、ｄ１ｍｉｎ、Ｑ２ｍｉｎのとき、式８によって求められる血圧が拡張期血圧である。
【００５７】
処理演算部５７は式８に基づいて血圧変化を概算する。
なお、この場合血圧（拡張期、収縮期）の相対変化を概算することは可能であるが、血管径ｄ１、血流量Ｑ２ともに絶対値ではないこと、また式８内のＬ１，Ｌ２，ρが未定であることから、血圧の絶対値を求めることは出来ない。
【００５８】
そのため、カフを使用して血圧の絶対値を測定できる血圧計によって一度血圧値を測定し、そのときの血流量、血流速度などを計測し、補正することで、血圧の絶対値を概算することが可能となる。
【００５９】
通常の血圧計（コロトコフ法）と比較実験（日内変動を３０分刻みで測定）を行った。血圧が収縮期で１１０〜１３０ｍｍＨｇ、拡張期で７５〜９０ｍｍＨｇの範囲で変動したが、相関係数ｒ２＝０．７で良好な相関関係を得ることができた。式（１０）をもとに補正係数を求め、実血圧値に換算したところ、実際の血圧値との最大誤差は５％以内（１２０ｍｍＨｇで５ｍｍＨｇ以内）であり、十分な測定精度を得ることができた。また、運動時（自転車に２０分乗った前後、及びクールダウン時）においても、相関係数ｒ２＝０．６６と良好な関係が得られた。なお、通常の血圧計では、カフで加圧して止血する際の血圧値が測定されるのに対して、本発明の血圧測定装置においては脈拍ごとの血圧の測定ができる。
【００６０】
血圧値は１拍１拍で異なる値を示すため、上記実験においては脈拍５拍分の平均値（拡張期、収縮期のそれぞれの状態における）から血圧を算出した。
【００６１】
血流量Ｑが脈拍ごとにあまり変化せず、ほぼ一定と見なせるとすると、式１０から、指先、手首の橈骨動脈の２カ所の血流速度を求めるだけで、血圧変動の測定が可能となる。
【００６２】
この場合、上記のような運動を伴わない安静時の日内変動では良好な相関関係が得られが、運動など、血流量Ｑが増大する場合では相関関係がくずれ、ｒ２＝０．３５となった。そのため、使用条件によって使用する関係式を使い分ける必要がある。
【００６３】
なお、血圧測定装置の構成は、適宜変更することが可能であり、たとえば、血流速度センサをレーザドップラ方式のセンサに変更したり、フォトダイオードをフォトトランジスタに変更するなどの変更は当然可能である。
【００６４】
また、指先の血流量の代わりに指先の血管の血管径を超音波エコー法などによって測定し、これから式６を使用して血圧を測定することも可能である。
【００６５】
（実施例２）
本発明の血圧測定装置の一実施例について図６を用いて説明する。本実施例は、実施例１における手首測定部２０の変形例を示す。
【００６６】
図６は、図３の光センサ２４の代わりに超音波を送受信することで橈骨動脈の血管径を測定する血管径センサ３１を設けた実施例である。
【００６７】
前述したとおり、血管径は光センサでも測定できるが、径を求めるためには、光センサのＬＥＤの光照射範囲や、受光感度などをあらかじめ調べておく必要があり、センサごとの感度ばらつきなどを考慮すると、精度良く求めることは難しかった。一方、本実施例のような、超音波センサの場合、超音波の送信時間と受信時間の差を求めることで容易に血管径の測定が可能となる。そのため、本実施例の用に、超音波を利用した血管径センサを設けることで、血圧測定の制度を更に向上させることができる。
【００６８】
（実施例３）
本発明の血圧測定装置の一実施例について図７を用いて説明する。本実施例は、実施例１における指先測定部１０の変形例を示す。
【００６９】
図７は、指先測定部１０、手首測定部２０（図示省略）を時計部４０に設けた例である。指先測定部１０に指先をあてて、時計のバンドに設けた図示しない手首測定部２０によって血流速、血流量などの測定を行う。使用時には、手首に時計４０のバンドを巻き付け、測定したいときに反対の手の人差し指（図７の例だと右手の）を測定部に押しあてることで測定が可能となる。
このような構成にすることで、手首測定部から指先測定部へよけいな配線などが不要となり、持ち運び、使用方法が容易となる。
【００７０】
（実施例４）
本発明の血圧測定装置の一実施例について図８を用いて説明する。
本実施例は指先測定部１０をマウス型の支持体に設けた例である。このように指先測定部１０を据え置き型にすることで、指先測定部１０がずれにくくなり、指先１０１と指先測定部１０の接触状態を一定に保ちやすくなる。
指先測定部１０と指先１０１の接触状態の再現性を向上させるため、指先測定部１０の下部に圧力センサを設けて接触圧力を一定に保ったり、指先１０との位置ずれを防止するため、指先測定部１０の周囲をくぼませるなどをするとさらに測定精度を向上させることができる。
前述のような通常の血圧計との比較実験を行ったところ、相関係数ｒ２＝０．６８と良好な相関を得ることができた。
【００７１】
【発明の効果】
以上のように、本発明の血圧測定方法、及び血圧測定装置によれば、カフを使用せず、精度良く血圧を測定することができる。
【図面の簡単な説明】
【図１】実施例１に係る指先測定部、手首測定部を腕に装着した状態である。
【図２】図１における指先測定部のＡ―Ａ‘  断面である。
【図３】図１における手首測定部の断面図である。
【図４】実施例１に係る信号処理部の説明図である。
【図５】血流速度、光強度の変動を示した説明図である。
【図６】実施例２に係る手首測定部の変形例である。
【図７】実施例３に係る手首測定部、指先測定部の変形例である。
【図８】実施例３に係る手首測定部、指先測定部の変形例である。
【図９】上腕部のモデル図を示す。
【符号の説明】
１０  指先測定部
２０  手首測定部
１１  血流速度センサ
１２  血流速度センサ
１３  光センサ
１４  ＬＥＤ
１５  フォトダイオード
１６  指サック
２１  リストバンド
２２  血流速度センサ
２３  血流速度センサ
２４  光センサ
２５  ＬＥＤ
２６  フォトダイオード
３１  血管径センサ
５０  信号処理部
５１、５２  血流速度センサ制御部
５３、５４  光センサ制御部
５５  血流速度処理部
５６  光信号処理部
５７  処理演算部
５８  出力部
６０  ケーブル
１００  手
１０１  指先
１０２  手首
１０３  橈骨動脈
１０４  指先の血管
ｖ１，ｖ２  血流速度
ｄ１，ｄ２  血管径
Ｖ  血圧
Ｑ，Ｑ１，Ｑ２  血流量
ρ  血液粘度
Ｒ１，Ｒ２  血管抵抗
【図１】
2004201868.tif 000006
【図２】
2004201868.tif 000007
【図３】
2004201868.tif 000008
【図４】
2004201868.tif 000009
【図５】
2004201868.tif 000010
【図６】
2004201868.tif 000011
【図７】
2004201868.tif 000012
【図８】
2004201868.tif 000013
【図９】
2004201868.tif 000014